(57)【要約】【課題】室内外間の止水性を向上できると共にコスト削減を図れる建具を提供すること。【解決手段】浴室ドアは、下枠１２および縦枠のコーナー部１５に止水部材５０が設置される。止水部材５０は、室内枠部１２１の上面１２３Ａに載せられた座部５１と、座部５１から立ち上げられた立上げ片部５２と、座部５１および立上げ片部５２の側縁に連続した側片部５３とを有する。側片部５３は、下シール部材１４Ｂの端部に当接する。座部５１の上面５１１は、室外片部１２２の上面１２２Ａよりも低い位置に配置されると共に縦シール部材１４Ａの下端１４３Ａが当接する。【選択図】図６
2020066922.tif 000002
【特許請求の範囲】
【請求項１】
枠体および障子を有して室内外を仕切る建具であって、
前記枠体は、上枠、下枠および左右の縦枠を備え、
前記下枠は、室内外の一方の空間に位置する第一下部と、室内外の他方の空間に位置する第二下部とを有し、
前記第一下部の上面は前記第二下部の上面よりも高い位置にあり、
前記第一下部には前記障子の前記一方の空間側の面に当接する下シール部材が装着され、
前記縦枠は、縦見込み片部と、前記縦見込み片部から見付け方向に延出したシール装着部とを有し、
前記シール装着部には前記障子の前記一方の空間側の面に当接する縦シール部材が装着され、
前記下枠および前記縦枠によって構成されるコーナー部には止水部材が設置され、
前記止水部材は、前記第二下部の上面に載せられた座部と、前記座部の前記一方の空間側の縁部から上方に立ち上げられた立上げ片部と、前記座部および前記立上げ片部の側縁に連続した側片部とを有し、
前記側片部は前記下シール部材の端部に当接し、
前記座部の上面は前記第一下部の上面よりも低い位置に配置され、
前記座部の上面には前記縦シール部材の下端が当接している
ことを特徴とする建具。
【請求項２】
請求項１に記載の建具において、
前記側片部には、前記下シール部材の端部を上側から覆う水返し部が見付け方向に延出して形成されている
ことを特徴とする建具。
【請求項３】
請求項１または請求項２に記載の建具において、
前記下シール部材は、前記第一下部を覆う硬質樹脂部と、前記硬質樹脂部から前記障子側へ延出した軟質樹脂部とを有している
ことを特徴とする建具。
【請求項４】
請求項３に記載の建具において、
前記軟質樹脂部の端部が前記側片部に当接し、
前記側片部のうち前記硬質樹脂部の端部に隣り合う部分は、前記側片部のうち前記軟質樹脂部の端部が当接する面よりも見付け方向に凹んで形成されている
ことを特徴とする建具。
【請求項５】
請求項３または請求項４に記載の建具において、
前記軟質樹脂部の下縁部は、前記第二下部の上面に当接している
ことを特徴とする建具。
【請求項６】
請求項１から請求項５のいずれか一項に記載の建具において、
前記下シール部材は前記第一下部の前記一方の空間側における縁部に係合する構成とされ、
前記第一下部の前記縁部には見込み方向に延出した延出部が形成されている
ことを特徴とする建具。
【請求項７】
請求項１から請求項６のいずれか一項に記載の建具において、
前記第一下部の前記縁部には見込み方向に延出した一対の延出部および底片部によって形成された係合溝部が構成され、
前記下シール部材の前記一方の空間側における縁部には、前記係合溝部に係合する係合部が形成され、
前記一対の延出部のうち下方側の延出部は、前記一対の延出部のうち上方側の延出部よりも前記一方の空間側に延出している
ことを特徴とする建具。
【発明の詳細な説明】
【技術分野】
【０００１】
本発明は、浴室等の室内と脱衣室等の室外とを水密に仕切る建具に関する。
【背景技術】
【０００２】
従来、枠体に障子が開閉自在に取り付けられて浴室内外（室内外）を仕切る建具が知られている（特許文献１参照）。この建具では、障子の縦框に当接する縦シール部材を枠体の縦枠に沿って設け、障子の下框に当接する下シール部材を枠体の下枠に沿って設け、且つ、縦枠および下枠のコーナー部分に止水部材を設置している。縦枠は、縦シール部材を保持する見付け方向に沿った保持板部を有しており、止水部材は、下枠上に当接する座部と、保持板部に対して室外側に位置した室外側部と、室外側部から見込み方向に延出した室内延出部とを有している。
【先行技術文献】
【特許文献】
【０００３】
【特許文献１】特開２００８−２２３２７４号公報
【発明の概要】
【発明が解決しようとする課題】
【０００４】
ところで、特許文献１に記載の建具では、下枠は、脱衣室側（室外側）の外側上面と、外側上面よりも低い位置にある浴室側（室内側）の内側上面とを有しており、止水部材の座部は、下枠の外側上面から内側上面にわたって載せられており、縦枠の保持板部および縦シール部材の下端は、下枠の外側上面よりも高い位置で止水部材の座部の上面に当接している。このため、浴室内の水が縦枠および下枠のコーナー部分に入り込んで縦シール部材および下枠の内側上面の間を通った水が下枠の外側上面に乗りあがり、止水部材および下シール部材の間から脱衣室側へ水が浸入するおそれがある。
また、特許文献１に記載の建具では、止水部材のうち、下枠の外側上面に載せられた座部の上に乗りあがる水が室外側部および室内延出部を越えないように、これらを座部の上面から上方に高く形成する必要がある。このため、止水部材が大型化して意匠性が低下するおそれがあると共に、コスト削減を図り難い。
更に、特許文献１に記載の建具では、止水部材および下シール部材の間を止水するためにスポンジを別途設置する必要があり、この点でもコスト削減を図り難い。
【０００５】
本発明は、室内外間の止水性を向上できると共にコスト削減を図れる建具を提供することを目的とする。
【課題を解決するための手段】
【０００６】
本発明の建具は、枠体および障子を有して室内外を仕切る建具であって、前記枠体は、上枠、下枠および左右の縦枠を備え、前記下枠は、室内外の一方の空間に位置する第一下部と、室内外の他方の空間に位置する第二下部とを有し、前記第一下部の上面は前記第二下部の上面よりも高い位置にあり、前記第一下部には前記障子の前記一方の空間側の面に当接する下シール部材が装着され、前記縦枠は、縦見込み片部と、前記縦見込み片部から見付け方向に延出したシール装着部とを有し、前記シール装着部には前記障子の前記一方の空間側の面に当接する縦シール部材が装着され、前記下枠および前記縦枠によって構成されるコーナー部には止水部材が設置され、前記止水部材は、前記第二下部の上面に載せられた座部と、前記座部の前記一方の空間側の縁部から上方に立ち上げられた立上げ片部と、前記座部および前記立上げ片部の側縁に連続した側片部とを有し、前記側片部は前記下シール部材の端部に当接し、前記座部の上面は前記第一下部の上面よりも低い位置に配置され、前記座部の上面には前記縦シール部材の下端が当接していることを特徴とする。
【発明の効果】
【０００７】
本発明によれば、室内外間の止水性を向上できると共にコスト削減を図れる建具を提供することができる。
【図面の簡単な説明】
【０００８】
【図１】本発明の実施形態に係る浴室ドアを浴室側から示す姿図。
【図２】前記実施形態に係る浴室ドアのコーナー部を示す横断面図。
【図３】前記実施形態に係る浴室ドアのコーナー部を示す縦断面図。
【図４】前記実施形態に係る浴室ドアのコーナー部を脱衣室側から示す斜視図。
【図５】前記実施形態に係る浴室ドアのコーナー部を脱衣室側から示す斜視図。
【図６】前記実施形態に係る浴室ドアのコーナー部を浴室側から示す斜視図。
【発明を実施するための形態】
【０００９】
［本実施形態の構成］
以下、本発明の実施形態を図面に基づいて説明する。
図１において、本実施形態に係る建具としての浴室ドア１は、室内外の一方の空間側である脱衣室側（室外側）と、室内外の他方の空間側である浴室側（室内側）とを仕切る浴室出入口に設けられる。浴室ドア１は、枠体１０（建具枠）と、枠体１０に支持されて浴室側に開閉可能に設けられる障子としての折戸２０とを備えており、枠体１０の後述する下枠１２および縦枠１３によって構成されるコーナー部１５には、浴室側から脱衣室側への水を止水する止水部材５０（図２〜図６参照）が設置されている。
以下の説明において、浴室ドア１の左右方向をＸ軸方向とし、浴室ドア１の上下方向をＹ軸方向とし、浴室ドア１の見込み方向（室内外方向）をＺ軸方向とする。Ｘ，Ｙ，Ｚ軸方向は互いに直交している。
【００１０】
枠体１０は、上枠１１、下枠１２および左右の縦枠１３を縦勝ちにシーラーを挟んで枠組みして構成されている。上枠１１、下枠１２および左右の縦枠１３には弾性変形可能な合成樹脂製のシール部材１４（１４Ａ，１４Ｂ）が装着されており、折戸２０を閉じた状態でシール部材１４が折戸２０の室外面（一方の空間側の面）に当接することで、脱衣室と浴室とが水密に仕切られるようになっている。
【００１１】
図２では戸先側のコーナー部１５を示している。図２に示す戸先側の縦枠１３は、縦見込み片部１３１および縦見付け片部１３２を有した縦枠本体部１３０と、縦見込み片部１３１からＸ軸方向内側に延出したシール装着部１３５とを有している。
シール装着部１３５は、Ｘ軸方向に沿った縦片部１３６と、縦片部１３６から浴室側に突出した断面略Ｌ字形状の一対の係合片部１３７とを有しており、縦片部１３６および一対の係合片部１３７によって係合溝部１３８が形成されている。
このシール装着部１３５には、Ｙ軸方向に延びた縦シール部材１４Ａが装着される。縦シール部材１４Ａは、基部１４１Ａおよびヒレ部１４２Ａを有して形成されており、基部１４１Ａが係合溝部１３８に係合されており、ヒレ部１４２Ａが縦框２３の室外面に対して弾性変形しながら当接する構成とされている。
なお、吊元側の縦枠１３は、戸先側の縦枠１３と同様に構成されて縦シール部材１４Ａが装着されているので、その詳細な説明を省略する。
【００１２】
下枠１２は、図３に示すように、浴室側に配置される室内枠部１２１（第二下部）と、室内枠部１２１に対して脱衣室側に位置する室外片部１２２（第一下部）とを有している。
室内枠部１２１は、上面部１２３、下面部１２４および一対の側面部１２５，１２６によって中空枠状に形成された枠部１２７と、上面部１２３から浴室側へ更に延出した延出上面部１２８と、延出上面部１２８から下方に延びた下見付け片部１２９とを有しており、上面部１２３の上面１２３Ａには、Ｘ軸方向に延びたレール１２３Ｂが形成されている。
室外片部１２２は、室内枠部１２１における上面部１２３および側面部１２６の連続部分によって構成される室外縁部１２１Ａから上方に立ち上げられた立設部１６１と、室外片部１２２の浴室側および脱衣室側に形成された一対の係合溝部１６２，１６３が形成されている。
係合溝部１６２は、室外片部１２２の上面１２２Ａから上方に延出した底片部１６４Ａと、底片部１６４ＡからＺ軸方向において浴室側に延出した延出部１６５Ａと、室外片部１２２のうち立設部１６１および底片部１６４Ａ間の部分とによって形成されている。
係合溝部１６３は、室外片部１２２の上面１２２Ａから上方に延出した底片部１６４Ｂと、底片部１６４ＢからＺ軸方向において脱衣室側に延出した延出部１６５Ｂと、室外片部１２２のＸ軸方向に沿った室外縁部（一方の空間側の縁部）からＺ軸方向において脱衣室側に延出した延出部１６６とによって形成されている。延出部１６６は、延出部１６５ＢよりもＺ軸方向に長く延出している。
この室外片部１２２では、上面１２２Ａおよび底片部１６４Ａ，１６４Ｂの側面によって凹部１６７が形成されており、凹部１６７にビス１６８が挿通されて脱衣室における床２にビス止めされている。
このように構成された下枠１２においては、室外片部１２２の上面１２２Ａは室内枠部１２１における上面１２３Ａよりも高い位置にある。
室外片部１２２には、折戸２０の下框２２の室外面（一方の空間側の面）に当接する下シール部材１４Ｂが装着されている。下シール部材１４Ｂは、二色成形されてＸ軸方向に延びており、硬質樹脂部１４１と、硬質樹脂部１４１から浴室側（折戸２０側）へ延出した軟質樹脂部１４２とを有している。
硬質樹脂部１４１のＸ軸方向に沿った両側縁部には下方に延出した鈎状の係合部１４３，１４４が形成されており、係合部１４３は係合溝部１６２に係合し、係合部１４４は係合溝部１６３に係合している。このように硬質樹脂部１４１は、下枠１２の室外片部１２２に装着されていると共に凹部１６７を覆っており、下枠１２の室外片部１２２を床２にビス止めするビス１６８を外部に露出させない構成とされている。
軟質樹脂部１４２は、硬質樹脂部１４１の浴室側の側縁部から斜め上に延出した本体片部１４５と、本体片部１４５の上部から浴室側に向かって斜め下に延出した上ヒレ部１４６と、本体片部１４５の下部から更に下方に延出して室内枠部１２１の上面１２３Ａに当接した下ヒレ部１４７（下縁部）とを有している。上ヒレ部１４６は弾性変形しながら下框２２の室外面に当接し、下ヒレ部１４７は下枠１２の立設部１６１の側面および室内枠部１２１の上面１２３Ａに当接している。
【００１３】
折戸２０は、左右の扉体２０Ａ，２０Ｂを備えており、扉体２０Ａ，２０Ｂは、上框２１、下框２２、左右の縦框２３，２４および樹脂パネル２５を框組みしてそれぞれ構成されており、扉体２０Ａ，２０Ｂのうち互いに隣り合う縦框２４同士がヒンジを介して回動可能に連結されている。樹脂パネル２５は、本実施形態では中桟を挟んで上下に分割されている。図１において右側の扉体２０Ｂの吊元側の縦框２３は枠体１０に回動可能に支持されており、図１において左側の扉体２０Ａの戸先側の縦框２３は下枠１２のレール１２３Ｂ上を図示しない扉体支持体を介してスライド可能に設置されている。この折戸２０は、扉体２０Ａ，２０Ｂの連結部分が浴室側に移動されながら折り畳まれて浴室ドア１の開口を開放する一方、扉体２０Ａ，２０Ｂの連結部分は脱衣室側に移動されながら伸張されて浴室ドア１の開口を閉鎖する構成とされている。
【００１４】
止水部材５０は、図３および図６に示すように室内枠部１２１の上面１２３Ａに載せられた矩形板状の座部５１と、座部５１の見付け方向に沿った室外縁部（一方の空間側の縁部）から上方に立ち上げられた立上げ片部５２と、座部５１および立上げ片部５２の下シール部材１４Ｂ側の側縁に連続した側片部５３と、立上げ片部５２から脱衣室側に延出したカバー片部５４とを有している。カバー片部５４は、下枠の室外片部１２２の端部を上側から覆って配置されている。図６に示すように、立上げ片部５２の室外面およびカバー片部５４のＸ軸方向に沿った側縁部には、前述した下枠１２の係合溝部１６２，１６３に係合する係合部５５，５６が形成されている。
座部５１の上面５１１の高さ位置は、室外片部１２２の上面１２２Ａの高さ位置、本実施形態では室外片部１２２の延出部１６５Ａにおける上面１６５Ｃの高さ位置（第一下部の上面のうち最も高い高さ位置）よりも図３に示す差分Ｌ１をもって低い位置に配置されている。座部５１の上面５１１には、縦枠１３のシール装着部１３５の下端および縦シール部材１４Ａの下端１４３Ａが当接している。なお、座部５１の下面は上面部１２３の上面１２３Ａに密着している。
側片部５３は、座部５１および立上げ片部５２の下シール部材１４Ｂ側の側縁からカバー片部５４の下シール部材１４Ｂ側の側縁に連続して形成されており、止水部材５０全体の下シール部材１４Ｂ側の側部を構成している。側片部５３のうちカバー片部５４よりも浴室側に位置する部分は下シール部材１４Ｂの軟質樹脂部１４２における本体片部１４５に沿って形成されている。具体的には、側片部５３は、脱衣室側よりも浴室側が高くなるように斜め上に立ち上げられて形成されており、立上げ片部５２よりも上方に高く立ち上げられている。側片部５３のうちカバー片部５４よりも浴室側に位置する見込み方向に沿った当接面５３１は下シール部材１４Ｂの端部に当接している。
側片部５３のうち硬質樹脂部１４１の端部に隣り合う部分、すなわち、当接面５３１に対して脱衣室側に位置する部分５３２は、当該当接面５３１よりもＸ軸方向に凹んで形成されており、硬質樹脂部１４１との間に図２に示す差分Ｌ２をもったクリアランスを形成している。また、側片部５３には、下シール部材１４Ｂの端部を上側から覆う水返し部５３３が形成されている。水返し部５３３は、側片部５３のＺ軸方向に沿った上縁部全長にわたって下シール部材１４Ｂ側に向かってＸ軸方向に延出している。
立上げ片部５２のうち、シール装着部１３５の縦片部１３６における室外面１３６Ａに対向する対向面５２１は、当該室外面１３６Ａに対して室外側に離間して配置されており、また、側片部５３のうち、シール装着部１３５の係合片部１３７の見込み方向に沿った側面１３７Ａに対向する対向面５３４は、当該側面１３７Ａから見付け方向内側に離間して配置されている。そして、対向面５２１，５３４は連続して形成されており、シール装着部１３５と止水部材５０の対向面５２１，５３４との間に入り込んだ水を、シール装着部１３５の側面１３７Ａおよび側片部５３の対向面５３４の間から浴室側に戻すことができる構成とされている。
この止水部材５０は、コーナー部１５において縦シール部材１４Ａおよび下シール部材１４Ｂによる止水ラインを連続させている。
【００１５】
以下、本実施形態に係る浴室ドア１の止水に関する作用効果は次の通りである。図２の符号Ａ１に示すように、浴室内の水がコーナー部１５において縦枠１３および縦框２３の間から当該縦枠１３および縦シール部材１４Ａの間に入り込むと、入り込んだ水が図２の符号Ａ２に示すように下枠１２の室内枠部１２１および縦シール部材１４Ａの間を通る。このとき、縦シール部材１４Ａの下端は下枠１２の室外片部１２２の上面１２２Ａよりも低い位置に配置されているので、室内枠部１２１および縦シール部材１４Ａの間を通る水が室外片部１２２の上面１２２Ａに乗りあがることが抑制され、止水部材５０の側片部５３および下シール部材１４Ｂの間から脱衣室側に水が浸入することが阻止される。
また、下シール部材１４Ｂの下ヒレ部１４７が室内枠部１２１の上面１２３Ａに当接しているので、室内枠部１２１の上面部１２３を通る水が下シール部材１４Ｂおよび室外片部１２２間に浸入することが抑制される。
更に、止水部材５０の上面５１１を室外片部１２２の上面１２２Ａよりも低い位置に配置することで、例えば上面５１１が上面１２２Ａと同等か高い位置に配置される場合と比べて、レール１２３Ｂおよび室外片部１２２で水が通るＺ軸方向における間隔を広く形成されるので、浴室内の水が室外片部１２２の上面１２２Ａに乗りあがり難くなっている。
加えて、室外片部１２２の延出部１６６が延出部１６５Ｂよりも脱衣室側に延出しているので、図３に示すように下シール部材１４Ｂを室外片部１２２に装着する前にクッションフロア２Ａを延出部１６６に沿って床２の上に設置しても、延出部１６５Ｂおよびクッションフロア２Ａの間にクリアランスを形成でき、室外片部１２２の係合部１４３を室外片部１２２の係合溝部１６３に係合させられる。
【００１６】
[変形例]
前記実施形態では、側片部５３に水返し部５３３が形成されているが、この構成がなくても十分に止水可能である場合には水返し部５３３の構成を省略してもよい。
前記実施形態では、止水部材５０の側片部５３のうち下シール部材１４Ｂの硬質樹脂部１４１の端部に隣り合う部分５３２が当接面５３１よりもＸ軸方向に凹んで形成されているが、当該部分５３２と硬質樹脂部１４１との間にクリアランスを形成しなくても下シール部材１４Ｂに止水性を維持可能である場合には、当該部分５３２を凹んで形成しなくてもよく、例えば当接面５３１と面一に形成して硬質樹脂部１４１の端部に当接させてもよい。
前記実施形態では、硬質樹脂部１４１と軟質樹脂部と１４２によって下シール部材１４Ｂが構成されているが、下枠１２および下框２２間を止水可能な構成であれば全体が軟質樹脂または硬質樹脂によって構成されていてもよい。
前記実施形態では、軟質樹脂部１４２の下縁部である下ヒレ部１４７は、下枠１２の室内枠部１２１の上面１２３Ａに当接しているが、例えば硬質樹脂部１４１および室外片部１２２の間に別途に軟質部を設けてこれらの間を水密に塞ぐなどして、硬質樹脂部１４１および室外片部１２２から脱衣室側への水の浸入を抑制する場合には、下ヒレ部１４７の構成を省略し、軟質樹脂部１４２が室内枠部１２１に当接しない構成としてもよい。
前記実施形態では、下枠１２の室外片部１２２には、下方側の延出部１６６が上方側の延出部１６５Ｂよりも脱衣室側（一方の空間側）に長く延出した係合溝部１６３が形成されているが、クッションフロア２Ａの設置後に下シール部材１４Ｂを下枠１２に装着することを考慮しなくてもよい場合には、延出部１６６は延出部１６５Ｂと同等か短くてもよい。
前記実施形態では、折戸２０によって障子が構成されているが、これに限られず、Ｙ軸方向に沿った回動軸の周りで開閉可能な開き系の戸によって構成されていてもよく、引戸形式の戸によって構成されていてもよい。また、前記実施形態では、本発明に係る建具の実施形態の例として浴室ドア１を説明したが、このほか、室内外を水密に仕切ることが求められるドアや引戸等の建具であってもよい。なお、浴室ドア１では、前述したように一方の空間側が脱衣室側（室外側）であると共に他方の空間側が浴室側（室内側）とされているが、例えば、浴室ドア１以外の建具であって建物の室内外を仕切る建具が構成される場合には、一方の空間側が室内側とされ、他方の空間側が室外側とされてもよい。
【００１７】
[本発明のまとめ]
本発明の建具は、枠体および障子を有して室内外を仕切る建具であって、前記枠体は、上枠、下枠および左右の縦枠を備え、前記下枠は、室内外の一方の空間に位置する第一下部と、室内外の他方の空間に位置する第二下部とを有し、前記第一下部の上面は前記第二下部の上面よりも高い位置にあり、前記第一下部には前記障子の前記一方の空間側の面に当接する下シール部材が装着され、前記縦枠は、縦見込み片部と、前記縦見込み片部から見付け方向に延出したシール装着部とを有し、前記シール装着部には前記障子の前記一方の空間側の面に当接する縦シール部材が装着され、前記下枠および前記縦枠によって構成されるコーナー部には止水部材が設置され、前記止水部材は、前記第二下部の上面に載せられた座部と、前記座部の前記一方の空間側の縁部から上方に立ち上げられた立上げ片部と、前記座部および前記立上げ片部の側縁に連続した側片部とを有し、前記側片部は前記下シール部材の端部に当接し、前記座部の上面は前記第一下部の上面よりも低い位置に配置され、前記座部の上面には前記縦シール部材の下端が当接していることを特徴とする。
本発明の建具によれば、止水部材の座部の上面が下枠の第一下部の上面よりも低い位置に配置されるので、座部の上面に当接する縦シール部材の下端が下枠の第一下部の上面よりも低い位置に配置されることとなる。このため、他方の空間側の水が縦枠および下枠のコーナー部に入り込んで縦シール部材の下端と下枠の第二下部の上面との間を通った場合に、水が第一下部の上面に乗りあがって止水部材の側片部および下シール部材の間から一方の空間側へ浸入することを抑制できる。また、前述したように座部の上面を低い位置に配置する構成とすることで、座部の上面から上方へ向かう立上げ片部および側片部の高さ寸法を抑えても座部の上に乗りあがる水がこれらを乗り越えることを十分に抑制でき、止水部材の大型化させずに意匠性を良好に保つことができると共にコスト削減を図れる。更に、このように水の浸入を抑制できるので、止水部材の側片部と下シール部材の端部との間にスポンジ等のシール部材を別途設置する必要がなく、この点でもコスト削減を図ることができる。
【００１８】
本発明の建具では、前記側片部には、前記下シール部材の端部を上側から覆う水返し部が見付け方向に延出して形成されていてもよい。
このような構成によれば、下シール部材の端面に歪みがあったり、温度環境の変化によって下シール部材が縮んだりして、止水部材および下シール部材の間に隙間が形成されることがあっても、下シール部材の端部を覆う水返し部によって他方の空間側から一方の空間側へ水が通ることを抑制できる。
【００１９】
本発明の建具では、前記下シール部材は、前記第一下部を覆う硬質樹脂部と、前記硬質樹脂部から前記障子側へ延出した軟質樹脂部とを有していてもよい。
このような構成によれば、下シール部材の硬質樹脂部が第一下部を覆うことで、下枠の第一下部を一方の空間側の床にビス止めした部分が露出しない構成にできる。また、硬質樹脂部から一方の空間側へ延出した部分が軟質樹脂部によって形成されているので、この軟質樹脂部が障子の一方の空間側の面に当接することで障子および下枠間を水密に仕切ることができる。
【００２０】
本発明の建具では、前記軟質樹脂部の端部が前記側片部に当接し、前記側片部のうち前記硬質樹脂部の端部に隣り合う部分は、前記側片部のうち前記軟質樹脂部の端部が当接する面よりも見付け方向に凹んで形成されていてもよい。
このような構成によれば、止水部材の側片部と下シール部材の硬質樹脂部との間に、環境温度の変化による硬質樹脂部に熱伸びを許容可能なクリアランスを形成することができる。
【００２１】
本発明の建具では、前記軟質樹脂部の下縁部は、前記第二下部の上面に当接していてもよい。
このような構成によれば、軟質樹脂部の下縁部が第二下部の上面に当接しているので、他方の空間側の水が毛細管現象などによって硬質樹脂部および第一下部の間に浸入することを抑制できる。
【００２２】
本発明の建具では、前記下シール部材は前記第一下部の前記一方の空間側における縁部に係合する構成とされ、前記第一下部の前記縁部には見込み方向に延出した延出部が形成されていてもよい。
このような構成によれば、例えば下シール部材の下枠への装着前にクッションフロアなどが第一下部に沿って床に設置されてしまっても、クッションフロアが第一下部の延出部に沿って配置されることとなる。このため、クッションフロアが、第一下部の下シール部材に対する係合箇所を覆って配置されることを防ぐことができ、クッションフロアの設置後でも下シール部材を第一下部に簡単に係合できる。
【００２３】
本発明の建具では、前記第一下部の前記縁部には見込み方向に延出した一対の延出部および底片部によって形成された係合溝部が構成され、前記下シール部材の前記一方の空間側における縁部には、前記係合溝部に係合する係合部が形成され、前記一対の延出部のうち下方側の延出部は、前記一対の延出部のうち上方側の延出部よりも前記一方の空間側に延出していてもよい。
このような構成によれば、例えば下シール部材の下枠への装着前にクッションフロアなどが第一下部に沿って床に設置されてしまっても、クッションフロアが第一下部の係合溝部を形成する下方側の延出部に沿って配置されることとなる。このため、係合溝部を形成する上方側の延出部とクッションフロアとの間に下シール部材の係合部を差し込み可能なクリアランスを形成でき、クッションフロアの設置後でも下シール部材の係合部を下枠の係合溝部に簡単に係合できる。
【符号の説明】
【００２４】
１…浴室ドア（建具）、１０…枠体、１２…下枠、１２１…室内枠部（第二下部）、１２２…室外片部（第一下部）、１２２Ａ，１２３Ａ…上面、１３…縦枠、１３０…縦枠本体部、１３１…縦見込み片部、１３５…シール装着部、１３６…縦片部、１３７…係合片部、１３８…係合溝部、１４１…硬質樹脂部、１４２…軟質樹脂部、１４３Ａ…下端、１４Ａ…縦シール部材、１４Ｂ…下シール部材、１５…コーナー部、２…床、２０…折戸（障子）、２２…下框、２３，２４…縦框、２５…樹脂パネル、２Ａ…クッションフロア、５０…止水部材、５１…座部、５１１…上面、５２…立上げ片部、５３…側片部、５４…カバー片部。
【図１】
2020066922.tif 000003
【図２】
2020066922.tif 000004
【図３】
2020066922.tif 000005
【図４】
2020066922.tif 000006
【図５】
2020066922.tif 000007
【図６】
2020066922.tif 000008